(57)【要約】【課題】レコメンドの精度を高めるとともに、新たな発見に資するレコメンドを実現する。【解決手段】リモコン装置からユーザがログインする。次に、ログイン情報をレコメンドサーバに送信する。事業者サーバは、管理サーバにコンテンツのメタ情報を送信する。管理サーバは、受信したメタ情報を記憶する。レコメンドサーバは、リモコン装置から視聴履歴とログイン情報とを受信し、これらを関連付けて記憶する視聴履歴データベースから現ユーザと視聴傾向が類似する他のユーザの視聴傾向からレコメンドするコンテンツを決定し、これをレコメンド結果として管理サーバに送信する。管理サーバは、レコメンドサーバからのレコメンド結果を受信し、レコメンド結果と対応するメタ情報とをリモコン装置に送信する。そして、リモコン装置は、管理サーバからレコメンド結果を受信して表示する。【選択図】図７
2012208555.tif 000002
【特許請求の範囲】
【請求項１】
複数の配信形式による映像コンテンツを受信再生する映像受信再生装置と、該映像受信再生装置とインターネット網を介して接続される事業者サーバ、レコメンドサーバ、レコメンド情報管理サーバ、リモコン装置とからなる映像コンテンツレコメンドシステムであって、
前記リモコン装置が、
ユーザを特定するためのログイン手段と、
該ログイン情報を前記レコメンドサーバに送信するログイン情報送信手段と、
前記レコメンド情報管理サーバからレコメンド結果を受信するレコメンド結果受信手段と、
を備え、
前記事業者サーバが、
前記レコメンド情報管理サーバにコンテンツのメタ情報を送信するメタ情報送信手段を備え、
前記レコメンド情報管理サーバが、
前記事業者サーバからコンテンツのメタ情報を受信するメタ情報受信手段と、
該受信したメタ情報を記憶するメタ情報記憶手段と、
前記レコメンドサーバからのレコメンド結果を受信するレコメンド結果受信手段と、
少なくとも該受信したレコメンド結果と対応するメタ情報とを前記リモコン装置に送信するレコメンド情報送信手段と、
を備え、
前記レコメンドサーバが、
前記リモコン装置から視聴履歴を受信する視聴履歴受信手段と、
前記リモコン装置からログイン情報を受信するログイン情報受信手段と、
該受信した視聴履歴およびログイン情報を関連付けて記憶する視聴履歴データベースと、
少なくとも現在時刻と、コンテンツのメタ情報に記載の放送時間とから、現在放送中のコンテンツを抽出し、さらに視聴履歴およびログイン情報を関連付けて記憶する視聴履歴データベースから現ユーザと視聴傾向が類似する他のユーザの視聴傾向からレコメンドするコンテンツを決定するレコメンドコンテンツ決定手段と、
該決定したレコメンドコンテンツをレコメンド結果として前記レコメンド情報管理サーバに送信するレコメンド結果送信手段と、
を備えたことを特徴とする映像コンテンツレコメンドシステム。
【請求項２】
複数の配信形式による映像コンテンツを受信再生する映像受信再生装置と、該映像受信再生装置とインターネット網を介して接続される事業者サーバ、レコメンドサーバ、レコメンド情報管理サーバ、視聴率検出装置、リモコン装置とからなる映像コンテンツレコメンドシステムであって、
前記リモコン装置が、
前記レコメンド情報管理サーバからレコメンド結果を受信するレコメンド結果受信手段  を備え、
前記事業者サーバが、
前記レコメンド情報管理サーバにコンテンツのメタ情報を送信するメタ情報送信手段を備え、
前記レコメンド情報管理サーバが、
前記事業者サーバからコンテンツのメタ情報を受信するメタ情報受信手段と、
該受信したメタ情報を記憶するメタ情報記憶手段と、
前記レコメンドサーバからのレコメンド結果を受信するレコメンド結果受信手段と、
少なくとも該受信したレコメンド結果と対応するメタ情報とを前記リモコン装置に送信するレコメンド情報送信手段と、
を備え、
前記レコメンドサーバが、
前記視聴率検出装置から視聴率の高いコンテンツを検出する検出手段と、
該検出したコンテンツを前記レコメンド情報管理サーバに送信するレコメンド結果送信手段と、
を備えたことを特徴とする映像コンテンツレコメンドシステム。
【請求項３】
前記リモコン装置が、受信したレコメンド結果を表示する表示手段を備えたことを特徴とする請求項１または請求項２に記載の映像コンテンツレコメンドシステム。
【請求項４】
前記リモコン装置が、スマートフォンであることを特徴とする請求項１から請求項３に記載の映像コンテンツレコメンドシステム。
【請求項５】
前記リモコン装置が、双方向の近距離無線通信手段を備えたことを特徴とする請求項１から請求項４に記載の映像コンテンツレコメンドシステム。
【請求項６】
前記レコメンド情報管理サーバのレコメンド情報送信手段が、レコメンド結果と対応するメタ情報とに加えて、事業者が推薦するコンテンツ情報を送信することを特徴とする請求項１または請求項２に記載の映像コンテンツレコメンドシステム。
【請求項７】
前記リモコン装置が、
コンテンツのジャンルを指定するジャンル指定手段と、
該指定したジャンルを前記レコメンドサーバに送信するジャンル情報送信手段と、
前記レコメンドサーバが、
前記リモコン装置からジャンルを受信するジャンル情報受信手段と、を備え、
前記レコメンドコンテンツ決定手段が、受信したジャンル情報を含めてレコメンドコンテンツを決定することを特徴とする請求項１または請求項２に記載の映像コンテンツレコメンドシステム。
【請求項８】
複数の配信形式による映像コンテンツを受信再生する映像受信再生装置と、該映像受信再生装置とインターネット網を介して接続される事業者サーバ、レコメンドサーバ、レコメンド情報管理サーバ、リモコン装置とからなる映像コンテンツレコメンドシステムにおけるであって、映像コンテンツレコメンド方法であって、
前記リモコン装置からユーザがログインする第１のステップと、
前記リモコン装置が、該ログイン情報を前記レコメンドサーバに送信する第２のステップと、
前記事業者サーバが、前記レコメンド情報管理サーバにコンテンツのメタ情報を送信する第３のステップと、
前記レコメンド情報管理サーバが、前記事業者サーバからコンテンツのメタ情報を受信する第４のステップと、
前記レコメンド情報管理サーバが、該受信したメタ情報を記憶する第５のステップと、
前記レコメンドサーバが、前記リモコン装置から視聴履歴を受信する第６のステップと、
前記レコメンドサーバが、前記リモコン装置からログイン情報を受信する第７のステップと、
前記レコメンドサーバが、現在時刻と、コンテンツのメタ情報に記載の放送時間とから、現在放送中のコンテンツを抽出し、さらに視聴履歴およびログイン情報を関連付けて記憶する視聴履歴データベースから現ユーザと視聴傾向が類似する他のユーザの視聴傾向からレコメンドするコンテンツを決定する第８のステップと、
前記レコメンドサーバが、該決定したレコメンドコンテンツをレコメンド結果として前記レコメンド情報管理サーバに送信する第９のステップと、
前記レコメンド情報管理サーバが、前記レコメンドサーバからのレコメンド結果を受信する第１０のステップと、
前記レコメンド情報管理サーバが、該受信したレコメンド結果と対応するメタ情報とを前記リモコン装置に送信する第１１のステップと、
前記リモコン装置が、前記レコメンド情報管理サーバからレコメンド結果を受信して表示する第１２のステップと、
を備えたことを特徴とする映像コンテンツレコメンド方法。
【請求項９】
複数の配信形式による映像コンテンツを受信再生する映像受信再生装置と、該映像受信再生装置とインターネット網を介して接続される事業者サーバ、レコメンドサーバ、レコメンド情報管理サーバ、視聴率検出装置、リモコン装置とからなる映像コンテンツレコメンドシステムにおける映像コンテンツレコメンド方法であって、
前記事業者サーバが、前記レコメンド情報管理サーバにコンテンツのメタ情報を送信する第１のステップと、
前記レコメンド情報管理サーバが、前記事業者サーバからコンテンツのメタ情報を受信する第２のステップと、
前記レコメンド情報管理サーバが、該受信したメタ情報を記憶する第３のステップと、
前記レコメンドサーバが、前記視聴率検出装置から視聴率の高いコンテンツを検出する第４のステップと、
前記レコメンドサーバが、該検出したコンテンツを前記レコメンド情報管理サーバに送信する第５のステップと、
前記レコメンド情報管理サーバが、前記レコメンドサーバからのレコメンド結果を受信する第６のステップと、
前記レコメンド情報管理サーバが、該受信したレコメンド結果と対応するメタ情報とを前記リモコン装置に送信する第７のステップと、
前記リモコン装置が、前記レコメンド情報管理サーバからレコメンド結果を受信して表示する第８のステップと、
を備えたことを特徴とする映像コンテンツレコメンド方法。
【請求項１０】
複数の配信形式による映像コンテンツを受信再生する映像受信再生装置と、該映像受信再生装置とインターネット網を介して接続される事業者サーバ、レコメンドサーバ、レコメンド情報管理サーバ、リモコン装置とからなる映像コンテンツレコメンドシステムにおけるであって、映像コンテンツレコメンド方法をコンピュータに実行させるためのプログラムであって、
前記リモコン装置からユーザがログインする第１のステップと、
前記リモコン装置が、該ログイン情報を前記レコメンドサーバに送信する第２のステップと、
前記事業者サーバが、前記レコメンド情報管理サーバにコンテンツのメタ情報を送信する第３のステップと、
前記レコメンド情報管理サーバが、前記事業者サーバからコンテンツのメタ情報を受信する第４のステップと、
前記レコメンド情報管理サーバが、該受信したメタ情報を記憶する第５のステップと、
前記レコメンドサーバが、前記リモコン装置から視聴履歴を受信する第６のステップと、
前記レコメンドサーバが、前記リモコン装置からログイン情報を受信する第７のステップと、
前記レコメンドサーバが、現在時刻と、コンテンツのメタ情報に記載の放送時間とから、現在放送中のコンテンツを抽出し、さらに視聴履歴およびログイン情報を関連付けて記憶する視聴履歴データベースから現ユーザと視聴傾向が類似する他のユーザの視聴傾向からレコメンドするコンテンツを決定する第８のステップと、
前記レコメンドサーバが、該決定したレコメンドコンテンツをレコメンド結果として前記レコメンド情報管理サーバに送信する第９のステップと、
前記レコメンド情報管理サーバが、前記レコメンドサーバからのレコメンド結果を受信する第１０のステップと、
前記レコメンド情報管理サーバが、該受信したレコメンド結果と対応するメタ情報とを前記リモコン装置に送信する第１１のステップと、
前記リモコン装置が、前記レコメンド情報管理サーバからレコメンド結果を受信して表示する第１２のステップと、
をコンピュータに実行させるためのプログラム。
【請求項１１】
複数の配信形式による映像コンテンツを受信再生する映像受信再生装置と、該映像受信再生装置とインターネット網を介して接続される事業者サーバ、レコメンドサーバ、レコメンド情報管理サーバ、視聴率検出装置、リモコン装置とからなる映像コンテンツレコメンドシステムにおける映像コンテンツレコメンド方法をコンピュータに実行させるためのプログラムであって、
前記事業者サーバが、前記レコメンド情報管理サーバにコンテンツのメタ情報を送信する第１のステップと、
前記レコメンド情報管理サーバが、前記事業者サーバからコンテンツのメタ情報を受信する第２のステップと、
前記レコメンド情報管理サーバが、該受信したメタ情報を記憶する第３のステップと、
前記レコメンドサーバが、前記視聴率検出装置から視聴率の高いコンテンツを検出する第４のステップと、
前記レコメンドサーバが、該検出したコンテンツを前記レコメンド情報管理サーバに送信する第５のステップと、
前記レコメンド情報管理サーバが、前記レコメンドサーバからのレコメンド結果を受信する第６のステップと、
前記レコメンド情報管理サーバが、該受信したレコメンド結果と対応するメタ情報とを前記リモコン装置に送信する第７のステップと、
前記リモコン装置が、前記レコメンド情報管理サーバからレコメンド結果を受信して表示する第８のステップと、
をコンピュータに実行させるためのプログラム。
【発明の詳細な説明】
【技術分野】
【０００１】
本発明は、レコメンドの精度を高めるとともに、新たな発見に資するレコメンドを実現する映像コンテンツレコメンドシステム、映像コンテンツレコメンド方法およびプログラムに関する。
【背景技術】
【０００２】
近年、地上ディジタル放送（地デジ）、衛星放送、ＣＡＴＶやＦＴＴＨによるＩＰＴＶなどは、帯域の有効利用により多チャンネル放送や各種サービスが混在し、単なる番組配信から多機能化、高機能化の傾向にある。視聴者は、このように拡充されたサービスを享受できる一方で、番組やサービス、機能の多さに戸惑いと不便さを感じ、かえってテレビ離れを招く傾向もあらわれ始めている。そこで、多チャンネル放送では、視聴者ごとにその視聴履歴から好みの番組を自動的に予測し、選択を容易にするリコメンデーション機能やそのような多機能を有効利用してもらうためのユーザインタフェース設計を行い、複雑化したＴＶ放送を楽しみ易くするための工夫が重要な要素となる。
【０００３】
そのため、映像コンテンツと、そのコンテンツ情報を含むＳＩ情報又は再生制御情報とを有した映像ストリームを送出するＩＰ送出サーバ装置、ＶｏＤサーバ装置、ＤＬＮＡサーバ装置、送出装置から送出される映像ストリームを受信する受信装置を備え、前記受信装置は、前記各装置から受信された映像ストリームのＳＩ情報、再生制御情報より、現在視聴中のコンテンツ情報を各々取得し、該コンテンツ情報をキーワードとして、前記各装置内の該当する関連映像コンテンツの有無を検索し、有る場合は該関連映像コンテンツをＧＵＩ部の画面にサブウィンドウとして表示させる技術が知られている（例えば、特許文献１参照。）。
【０００４】
また、テレビジョン受像端末におけるリモートコントローラに設けられ、リモートコントローラを操作した利用者を識別し、テレビジョン受像端末内に設けられ、識別した利用者別にリモートコントローラの操作履歴を記憶する。そして、記憶した操作履歴情報をサーバにネットワークを介して送信し、テレビジョン受像端末内に設けられ、リコメンデーション機能によりリモートコントローラの操作ボタンの操作履歴情報に基づき生成した利用者の趣向に応じた推奨番組表をサーバから受信して画面に表示し、表示された推奨番組表に従って利用者が選択した推奨番組のリストまたは推奨番組数をリコメンデーション機能の効用を表すデータとして収集し、出力する技術も知られている（例えば、特許文献２参照。）。さらに、インターネット向け通販サイトで利用されるレコメンドシステムも知られている。これらの技術では、統合的かつ、ユーザ購入履歴やユーザ嗜好を考慮した精度の高いレコメンドを実現している。
【先行技術文献】
【特許文献】
【０００５】
【特許文献１】特開２０１０−２７８５１２号公報
【特許文献２】特開２０１０−２３３００３号公報
【発明の概要】
【発明が解決しようとする課題】
【０００６】
しかしながら、上記の特許文献１に記載された技術では、ＩＰ（Ｉｎｔｅｒｎｅｔ  Ｐｒｏｔｏｃｏｌ）放送・ＶｏＤ(Ｖｉｄｅｏ  Ｏｎ  Ｄｅｍａｎｄ)などを対象に統合的なレコメンドが可能である反面、単純な個人ユーザの履歴のみを利用したレコメンドであるために、レコメンドの精度が低く、納得感のあるレコメンドや新たな発見に資するレコメンドオススメがなされないという問題がある。
【０００７】
また、上記の特許文献２に記載された技術においても、単純な個人ユーザの履歴のみを利用したレコメンドであるために、レコメンドの精度が低く、納得感のあるレコメンドや新たな発見に資するレコメンドがなされないという問題がある。また、上記のインターネット向けのレコメンドシステムでは、時間的にはどの時間でも同じ物を得られるものが対象であり、今、その時を逃すと視聴できないような放送中のコンテンツは扱えないという問題がある。
【０００８】
さらに、レコメンド結果の表示や、ユーザが意図した操作が反映されるまでに時間が掛かると、以下にユーザの意図した情報が表示されても、快適にコンテンツを選択できるとは言えないという問題がある。特に、このようなサービスの人気が向上した場合、レコメンド結果として表示する情報を増やすことで差別化を図る事が想定されるが、その場合、当初想定していた処理性能を超えた能力を必要とする場合がある。例えば、当初は静止画（サムネイル）とテキストを表示していたが、静止画ではなく、動画も表示したいという要望などが上げられる。
【０００９】
そこで、本発明は、上述の課題に鑑みてなされたものであり、レコメンドの精度を高めるとともに、新たな発見に資するレコメンドを実現する映像コンテンツレコメンドシステム、映像コンテンツレコメンド方法およびプログラムを提供することを目的とする。
【課題を解決するための手段】
【００１０】
本発明は、上記の課題を解決するために、以下の事項を提案している。なお、理解を容易にするために、本発明の実施形態に対応する符号を付して説明するが、これに限定されるものではない。
【００１１】
（１）本発明は、複数の配信形式による映像コンテンツを受信再生する映像受信再生装置（例えば、図１の映像受信再生装置１００に相当）と、該映像受信再生装置とインターネット網を介して接続される事業者サーバ（例えば、図１の事業者サーバ３００に相当）、レコメンドサーバ（例えば、図１のレコメンドサーバ５００に相当）、レコメンド情報管理サーバ（例えば、図１のレコメンド情報管理サーバ４００に相当）、リモコン装置（例えば、図１のリモコン装置２００に相当）とからなる映像コンテンツレコメンドシステムであって、前記リモコン装置が、ユーザを特定するためのログイン手段（例えば、図３のログイン部２１０に相当）と、該ログイン情報を前記レコメンドサーバに送信するログイン情報送信手段（例えば、図３のログイン情報送信部２２０に相当）と、前記レコメンド情報管理サーバからレコメンド結果を受信するレコメンド結果受信手段（例えば、図３のレコメンド結果受信部２６０に相当）と、を備え、前記事業者サーバが、前記レコメンド情報管理サーバにコンテンツのメタ情報を送信するメタ情報送信手段（例えば、図４のメタ情報送信部３２０に相当）を備え、前記レコメンド情報管理サーバが、前記事業者サーバからコンテンツのメタ情報を受信するメタ情報受信手段（例えば、図５のメタ情報受信部４１０に相当）と、該受信したメタ情報を記憶するメタ情報記憶手段（例えば、図５のメタ情報記憶部４２０に相当）と、前記レコメンドサーバからのレコメンド結果を受信するレコメンド結果受信手段（例えば、図５のレコメンド結果受信部４３０に相当）と、少なくとも該受信したレコメンド結果と対応するメタ情報とを前記リモコン装置に送信するレコメンド情報送信手段（例えば、図５のレコメンド情報送信部４４０に相当）と、を備え、前記レコメンドサーバが、前記リモコン装置から視聴履歴を受信する視聴履歴受信手段（例えば、図６の視聴履歴受信部５１０に相当）と、前記リモコン装置からログイン情報を受信するログイン情報受信手段（例えば、図６のログイン情報受信部５２０に相当）と、該受信した視聴履歴およびログイン情報を関連付けて記憶する視聴履歴データベース（例えば、図６の視聴履歴データベース５３０に相当）と、少なくとも現在時刻と、コンテンツのメタ情報に記載の放送時間とから、現在放送中のコンテンツを抽出し、さらに視聴履歴およびログイン情報を関連付けて記憶する視聴履歴データベースから現ユーザと視聴傾向が類似する他のユーザの視聴傾向からレコメンドするコンテンツを決定するレコメンドコンテンツ決定手段（例えば、図６のレコメンドコンテンツ決定部５４０に相当）と、該決定したレコメンドコンテンツをレコメンド結果として前記レコメンド情報管理サーバに送信するレコメンド結果送信手段と（例えば、図６のレコメンド結果送信部５５０に相当）、を備えたことを特徴とする映像コンテンツレコメンドシステムを提案している。
【００１２】
この発明によれば、リモコン装置のログイン手段は、ユーザを特定するためにログインを促す。ログイン情報送信手段は、ログイン情報をレコメンドサーバに送信する。レコメンド結果受信手段は、レコメンド情報管理サーバからレコメンド結果を受信する。事業者サーバのメタ情報送信手段は、レコメンド情報管理サーバにコンテンツのメタ情報を送信する。レコメンド情報管理サーバのメタ情報受信手段は、前記事業者サーバからコンテンツのメタ情報を受信する。メタ情報記憶手段は、受信したメタ情報を記憶する。レコメンド結果受信手段は、レコメンドサーバからのレコメンド結果を受信する。レコメンド情報送信手段は、少なくとも受信したレコメンド結果と対応するメタ情報とをリモコン装置に送信する。レコメンドサーバの視聴履歴受信手段は、リモコン装置から視聴履歴を受信する。ログイン情報受信手段は、リモコン装置からログイン情報を受信する。視聴履歴データベースは、受信した視聴履歴およびログイン情報を関連付けて記憶する。レコメンドコンテンツ決定手段は、少なくとも現在時刻と、コンテンツのメタ情報に記載の放送時間とから、現在放送中のコンテンツを抽出し、さらに視聴履歴およびログイン情報を関連付けて記憶する視聴履歴データベースから現ユーザと視聴傾向が類似する他のユーザの視聴傾向からレコメンドするコンテンツを決定する。レコメンド結果送信手段は、決定したレコメンドコンテンツをレコメンド結果としてレコメンド情報管理サーバに送信する。したがって、他ユーザの視聴傾向から、趣向の類似したユーザと同様なコンテンツをレコメンドするため、多くの視聴可能なコンテンツから、新たな気づきを与えることができる。
【００１３】
（２）本発明は、複数の配信形式による映像コンテンツを受信再生する映像受信再生装置（例えば、図９の映像受信再生装置１００に相当）と、該映像受信再生装置とインターネット網を介して接続される事業者サーバ（例えば、図９の事業者サーバ３００に相当）、レコメンドサーバ（例えば、図９のレコメンドサーバ５００に相当）、レコメンド情報管理サーバ（例えば、図９のレコメンド情報管理サーバ４００に相当）、視聴率検出装置（例えば、図９の視聴率検出装置６００に相当）、リモコン装置（例えば、図９のリモコン装置２００に相当）とからなる映像コンテンツレコメンドシステムであって、前記リモコン装置が、前記レコメンド情報管理サーバからレコメンド結果を受信するレコメンド結果受信手段（例えば、図１０のレコメンド結果受信部２６０に相当）を備え、前記事業者サーバが、前記レコメンド情報管理サーバにコンテンツのメタ情報を送信するメタ情報送信手段を備え、前記レコメンド情報管理サーバが、前記事業者サーバからコンテンツのメタ情報を受信するメタ情報受信手段と、該受信したメタ情報を記憶するメタ情報記憶手段と、前記レコメンドサーバからのレコメンド結果を受信するレコメンド結果受信手段と、少なくとも該受信したレコメンド結果と対応するメタ情報とを前記リモコン装置に送信すると、を備え、前記レコメンドサーバが、前記視聴率検出装置から視聴率の高いコンテンツを検出する検出手段（例えば、図１１の視聴率検出部５６０に相当）と、該検出したコンテンツを前記レコメンド情報管理サーバに送信するレコメンド結果送信手段（例えば、図１１のレコメンド結果送信部５５０に相当）と、を備えたことを特徴とする映像コンテンツレコメンドシステムを提案している。
【００１４】
この発明によれば、リモコン装置のレコメンド結果受信手段は、レコメンド情報管理サーバからレコメンド結果を受信する。事業者サーバのメタ情報送信手段は、レコメンド情報管理サーバにコンテンツのメタ情報を送信する。レコメンド情報管理サーバのメタ情報受信手段は、前記事業者サーバからコンテンツのメタ情報を受信する。メタ情報記憶手段は、受信したメタ情報を記憶する。レコメンド結果受信手段は、レコメンドサーバからのレコメンド結果を受信する。レコメンド情報送信手段は、少なくとも受信したレコメンド結果と対応するメタ情報とをリモコン装置に送信する。レコメンドサーバの検出手段は、視聴率検出装置から視聴率の高いコンテンツを検出する。レコメンド結果送信手段は、検出したコンテンツをレコメンド情報管理サーバに送信する。したがって、視聴率を利用することにより、現在放送中のコンテンツをレコメンドすることができる。なお、視聴率は、レコメンドの際の１つの指標であり、視聴率の高さのみに着目してレコメンドを行うばかりでなく、逆に、視聴率の低い番組をレコメンドすることで、ユーザに新たな気づきを与える効果が期待できる。そのため、基本的には、事業者から貰ったメタに記載されている放送時間と現在時刻から、放送中の番組を判断し、その上で、視聴率を活用することで様々な番組レコメンドする。
【００１５】
（３）本発明は、（１）または（２）の映像コンテンツレコメンドシステムについて、前記リモコン装置が、受信したレコメンド結果を表示する表示手段（例えば、図３のレコメンド結果表示部２７０に相当）を備えたことを特徴とする映像コンテンツレコメンドシステムを提案している。
【００１６】
この発明によれば、リモコン装置が、受信したレコメンド結果を表示する。したがって、リモコン装置が個人の所有する端末である場合には、自分に対するレコメンドを他の人に見られる恐れがない。
【００１７】
（４）本発明は、（１）から（３）の映像コンテンツレコメンドシステムについて、前記リモコン装置が、スマートフォンであることを特徴とする映像コンテンツレコメンドシステムを提案している。
【００１８】
この発明によれば、リモコン装置が、スマートフォンである。したがって、リモコン装置がスマートフォンという個人が所有する端末であるため、自分に対するレコメンドを他の人に見られる恐れがない。
【００１９】
（５）本発明は、（１）から（４）の映像コンテンツレコメンドシステムについて、前記リモコン装置が、双方向の近距離無線通信手段を備えたことを特徴とする映像コンテンツレコメンドシステムを提案している。
【００２０】
この発明によれば、リモコン装置が、双方向の近距離無線通信手段を備えている。これにより、映像受信再生装置で再生されたという応答を受けることができるため、正確に視聴履歴を把握することができる。
【００２１】
（６）本発明は、（１）または（２）の映像コンテンツレコメンドシステムについて、前記レコメンド情報管理サーバのレコメンド情報送信手段が、レコメンド結果と対応するメタ情報とに加えて、事業者が推薦するコンテンツ情報を送信することを特徴とする映像コンテンツレコメンドシステムを提案している。
【００２２】
この発明によれば、レコメンド情報送信手段が、レコメンド結果と対応するメタ情報とに加えて、事業者が推薦するコンテンツ情報を送信する。これにより、ユーザに事業者が推薦するコンテンツ情報を意図的に送信することができる。
【００２３】
（７）本発明は、（１）または（２）の映像コンテンツレコメンドシステムについて、  前記リモコン装置が、コンテンツのジャンルを指定するジャンル指定手段と、該指定したジャンルを前記レコメンドサーバに送信するジャンル情報送信手段と、前記レコメンドサーバが、前記リモコン装置からジャンルを受信するジャンル情報受信手段と、を備え、前記レコメンドコンテンツ決定手段が、受信したジャンル情報を含めてレコメンドコンテンツを決定することを特徴とする映像コンテンツレコメンドシステムを提案している。
【００２４】
この発明によれば、リモコン装置のジャンル指定手段は、コンテンツのジャンルを指定し、ジャンル情報送信手段は、指定したジャンルをレコメンドサーバに送信する。そして、レコメンドサーバが、リモコン装置からジャンルを受信し、レコメンドコンテンツ決定手段が、受信したジャンル情報を含めてレコメンドコンテンツを決定する。したがって、ユーザは、レコメンド処理に対して、特定のジャンルを指定することができる。
【００２５】
（８）本発明は、複数の配信形式による映像コンテンツを受信再生する映像受信再生装置と、該映像受信再生装置とインターネット網を介して接続される事業者サーバ、レコメンドサーバ、レコメンド情報管理サーバ、リモコン装置とからなる映像コンテンツレコメンドシステムにおけるであって、映像コンテンツレコメンド方法であって、前記リモコン装置からユーザがログインする第１のステップ（例えば、図７のステップＳ１０１に相当）と、前記リモコン装置が、該ログイン情報を前記レコメンドサーバに送信する第２のステップ（例えば、図７のステップＳ１０２に相当）と、前記事業者サーバが、前記レコメンド情報管理サーバにコンテンツのメタ情報を送信する第３のステップ（例えば、図７のステップＳ１０３に相当）と、前記レコメンド情報管理サーバが、前記事業者サーバからコンテンツのメタ情報を受信する第４のステップ（例えば、図７のステップＳ１０４に相当）と、前記レコメンド情報管理サーバが、該受信したメタ情報を記憶する第５のステップ（例えば、図７のステップＳ１０５に相当）と、前記レコメンドサーバが、前記リモコン装置から視聴履歴を受信する第６のステップ（例えば、図７のステップＳ１０６に相当）と、前記レコメンドサーバが、前記リモコン装置からログイン情報を受信する第７のステップ（例えば、図７のステップＳ１０７に相当）と、前記レコメンドサーバが、現在時刻と、コンテンツのメタ情報に記載の放送時間とから、現在放送中のコンテンツを抽出し、さらに視聴履歴およびログイン情報を関連付けて記憶する視聴履歴データベースから現ユーザと視聴傾向が類似する他のユーザの視聴傾向からレコメンドするコンテンツを決定する第８のステップ（例えば、図７のステップＳ１０８に相当）と、前記レコメンドサーバが、該決定したレコメンドコンテンツをレコメンド結果として前記レコメンド情報管理サーバに送信する第９のステップ（例えば、図７のステップＳ１０９に相当）と、前記レコメンド情報管理サーバが、前記レコメンドサーバからのレコメンド結果を受信する第１０のステップ（例えば、図７のステップＳ１１０に相当）と、前記レコメンド情報管理サーバが、該受信したレコメンド結果と対応するメタ情報とを前記リモコン装置に送信する第１１のステップ（例えば、図７のステップＳ１１１に相当）と、前記リモコン装置が、前記レコメンド情報管理サーバからレコメンド結果を受信して表示する第１２のステップ（例えば、図７のステップＳ１１２に相当）と、を備えたことを特徴とする映像コンテンツレコメンド方法を提案している。
【００２６】
この発明によれば、リモコン装置からユーザがログインする。リモコン装置は、ログイン情報をレコメンドサーバに送信する。事業者サーバは、レコメンド情報管理サーバにコンテンツのメタ情報を送信し、事業者サーバからコンテンツのメタ情報を受信する。レコメンド情報管理サーバは、受信したメタ情報を記憶する。レコメンドサーバは、リモコン装置から視聴履歴を受信し、リモコン装置からログイン情報を受信し、現在時刻と、コンテンツのメタ情報に記載の放送時間とから、現在放送中のコンテンツを抽出し、さらに視聴履歴およびログイン情報を関連付けて記憶する視聴履歴データベースから現ユーザと視聴傾向が類似する他のユーザの視聴傾向からレコメンドするコンテンツを決定して、決定したレコメンドコンテンツをレコメンド結果としてレコメンド情報管理サーバに送信する。レコメンド情報管理サーバは、レコメンドサーバからのレコメンド結果を受信し、受信したレコメンド結果と対応するメタ情報とをリモコン装置に送信する。そして、リモコン装置は、レコメンド情報管理サーバからレコメンド結果を受信して表示する。したがって、他ユーザの視聴傾向から、趣向の類似したユーザと同様なコンテンツをレコメンドするため、多くの視聴可能なコンテンツから、新たな気づきを与えることができる。
【００２７】
（９）本発明は、複数の配信形式による映像コンテンツを受信再生する映像受信再生装置と、該映像受信再生装置とインターネット網を介して接続される事業者サーバ、レコメンドサーバ、レコメンド情報管理サーバ、視聴率検出装置、リモコン装置とからなる映像コンテンツレコメンドシステムにおける映像コンテンツレコメンド方法であって、前記事業者サーバが、前記レコメンド情報管理サーバにコンテンツのメタ情報を送信する第１のステップ（例えば、図１２のステップＳ２０１に相当）と、前記レコメンド情報管理サーバが、前記事業者サーバからコンテンツのメタ情報を受信する第２のステップ（例えば、図１２のステップＳ２０２に相当）と、前記レコメンド情報管理サーバが、該受信したメタ情報を記憶する第３のステップ（例えば、図１２のステップＳ２０３に相当）と、前記レコメンドサーバが、前記視聴率検出装置から視聴率の高いコンテンツを検出する第４のステップ（例えば、図１２のステップＳ２０４に相当）と、前記レコメンドサーバが、該検出したコンテンツを前記レコメンド情報管理サーバに送信する第５のステップ（例えば、図１２のステップＳ２０５に相当）と、前記レコメンド情報管理サーバが、前記レコメンドサーバからのレコメンド結果を受信する第６のステップ（例えば、図１２のステップＳ２０６に相当）と、前記レコメンド情報管理サーバが、該受信したレコメンド結果と対応するメタ情報とを前記リモコン装置に送信する第７のステップ（例えば、図１２のステップＳ２０７に相当）と、前記リモコン装置が、前記レコメンド情報管理サーバからレコメンド結果を受信して表示する第８のステップ（例えば、図１２のステップＳ２０８に相当）と、を備えたことを特徴とする映像コンテンツレコメンド方法を提案している。
【００２８】
この発明によれば、事業者サーバは、レコメンド情報管理サーバにコンテンツのメタ情報を送信する。レコメンド情報管理サーバは、前記事業者サーバからコンテンツのメタ情報を受信し、受信したメタ情報を記憶する。レコメンドサーバは、記視聴率検出装置から視聴率の高いコンテンツを検出し、検出したコンテンツをレコメンド情報管理サーバに送信する。レコメンド情報管理サーバは、レコメンドサーバからのレコメンド結果を受信し、受信したレコメンド結果と対応するメタ情報とをリモコン装置に送信する。そして、リモコン装置は、レコメンド情報管理サーバからレコメンド結果を受信して表示する。したがって、視聴率を利用することにより、現在放送中のコンテンツをレコメンドすることができる。なお、視聴率は、レコメンドの際の１つの指標であり、視聴率の高さのみに着目してレコメンドを行うばかりでなく、逆に、視聴率の低い番組をレコメンドすることで、ユーザに新たな気づきを与える効果が期待できる。そのため、基本的には、事業者から貰ったメタに記載されている放送時間と現在時刻から、放送中の番組を判断し、その上で、視聴率を活用することで様々な番組レコメンドする。
【００２９】
（１０）本発明は、複数の配信形式による映像コンテンツを受信再生する映像受信再生装置と、該映像受信再生装置とインターネット網を介して接続される事業者サーバ、レコメンドサーバ、レコメンド情報管理サーバ、リモコン装置とからなる映像コンテンツレコメンドシステムにおけるであって、映像コンテンツレコメンド方法をコンピュータに実行させるためのプログラムであって、前記リモコン装置からユーザがログインする第１のステップ（例えば、図７のステップＳ１０１に相当）と、前記リモコン装置が、該ログイン情報を前記レコメンドサーバに送信する第２のステップ（例えば、図７のステップＳ１０２に相当）と、前記事業者サーバが、前記レコメンド情報管理サーバにコンテンツのメタ情報を送信する第３のステップ（例えば、図７のステップＳ１０３に相当）と、前記レコメンド情報管理サーバが、前記事業者サーバからコンテンツのメタ情報を受信する第４のステップ（例えば、図７のステップＳ１０４に相当）と、前記レコメンド情報管理サーバが、該受信したメタ情報を記憶する第５のステップ（例えば、図７のステップＳ１０５に相当）と、前記レコメンドサーバが、前記リモコン装置から視聴履歴を受信する第６のステップ（例えば、図７のステップＳ１０６に相当）と、前記レコメンドサーバが、前記リモコン装置からログイン情報を受信する第７のステップ（例えば、図７のステップＳ１０７に相当）と、前記レコメンドサーバが、現在時刻と、コンテンツのメタ情報に記載の放送時間とから、現在放送中のコンテンツを抽出し、さらに視聴履歴およびログイン情報を関連付けて記憶する視聴履歴データベースから現ユーザと視聴傾向が類似する他のユーザの視聴傾向からレコメンドするコンテンツを決定する第８のステップ（例えば、図７のステップＳ１０８に相当）と、前記レコメンドサーバが、該決定したレコメンドコンテンツをレコメンド結果として前記レコメンド情報管理サーバに送信する第９のステップ（例えば、図７のステップＳ１０９に相当）と、前記レコメンド情報管理サーバが、前記レコメンドサーバからのレコメンド結果を受信する第１０のステップ（例えば、図７のステップＳ１１０に相当）と、前記レコメンド情報管理サーバが、該受信したレコメンド結果と対応するメタ情報とを前記リモコン装置に送信する第１１のステップ（例えば、図７のステップＳ１１１に相当）と、前記リモコン装置が、前記レコメンド情報管理サーバからレコメンド結果を受信して表示する第１２のステップ（例えば、図７のステップＳ１１２に相当）と、をコンピュータに実行させるためのプログラムを提案している。
【００３０】
この発明によれば、リモコン装置からユーザがログインする。リモコン装置は、ログイン情報をレコメンドサーバに送信する。事業者サーバは、レコメンド情報管理サーバにコンテンツのメタ情報を送信し、事業者サーバからコンテンツのメタ情報を受信する。レコメンド情報管理サーバは、受信したメタ情報を記憶する。レコメンドサーバは、リモコン装置から視聴履歴を受信し、リモコン装置からログイン情報を受信し、現在時刻と、コンテンツのメタ情報に記載の放送時間とから、現在放送中のコンテンツを抽出し、さらに視聴履歴およびログイン情報を関連付けて記憶する視聴履歴データベースから現ユーザと視聴傾向が類似する他のユーザの視聴傾向からレコメンドするコンテンツを決定して、決定したレコメンドコンテンツをレコメンド結果としてレコメンド情報管理サーバに送信する。レコメンド情報管理サーバは、レコメンドサーバからのレコメンド結果を受信し、受信したレコメンド結果と対応するメタ情報とをリモコン装置に送信する。そして、リモコン装置は、レコメンド情報管理サーバからレコメンド結果を受信して表示する。したがって、他ユーザの視聴傾向から、趣向の類似したユーザと同様なコンテンツをレコメンドするため、多くの視聴可能なコンテンツから、新たな気づきを与えることができる。
【００３１】
（１１）本発明は、複数の配信形式による映像コンテンツを受信再生する映像受信再生装置と、該映像受信再生装置とインターネット網を介して接続される事業者サーバ、レコメンドサーバ、レコメンド情報管理サーバ、視聴率検出装置、リモコン装置とからなる映像コンテンツレコメンドシステムにおける映像コンテンツレコメンド方法をコンピュータに実行させるためのプログラムであって、前記事業者サーバが、前記レコメンド情報管理サーバにコンテンツのメタ情報を送信する第１のステップ（例えば、図１２のステップＳ２０１に相当）と、前記レコメンド情報管理サーバが、前記事業者サーバからコンテンツのメタ情報を受信する第２のステップ（例えば、図１２のステップＳ２０２に相当）と、前記レコメンド情報管理サーバが、該受信したメタ情報を記憶する第３のステップ（例えば、図１２のステップＳ２０３に相当）と、前記レコメンドサーバが、前記視聴率検出装置から視聴率の高いコンテンツを検出する第４のステップ（例えば、図１２のステップＳ２０４に相当）と、前記レコメンドサーバが、該検出したコンテンツを前記レコメンド情報管理サーバに送信する第５のステップ（例えば、図１２のステップＳ２０５に相当）と、前記レコメンド情報管理サーバが、前記レコメンドサーバからのレコメンド結果を受信する第６のステップ（例えば、図１２のステップＳ２０６に相当）と、前記レコメンド情報管理サーバが、該受信したレコメンド結果と対応するメタ情報とを前記リモコン装置に送信する第７のステップ（例えば、図１２のステップＳ２０７に相当）と、前記リモコン装置が、前記レコメンド情報管理サーバからレコメンド結果を受信して表示する第８のステップ（例えば、図１２のステップＳ２０８に相当）と、をコンピュータに実行させるためのプログラムを提案している。
【００３２】
この発明によれば、事業者サーバは、レコメンド情報管理サーバにコンテンツのメタ情報を送信する。レコメンド情報管理サーバは、前記事業者サーバからコンテンツのメタ情報を受信し、受信したメタ情報を記憶する。レコメンドサーバは、記視聴率検出装置から視聴率の高いコンテンツを検出し、検出したコンテンツをレコメンド情報管理サーバに送信する。レコメンド情報管理サーバは、レコメンドサーバからのレコメンド結果を受信し、受信したレコメンド結果と対応するメタ情報とをリモコン装置に送信する。そして、リモコン装置は、レコメンド情報管理サーバからレコメンド結果を受信して表示する。したがって、視聴率を利用することにより、現在放送中のコンテンツをレコメンドすることができる。なお、視聴率は、レコメンドの際の１つの指標であり、視聴率の高さのみに着目してレコメンドを行うばかりでなく、逆に、視聴率の低い番組をレコメンドすることで、ユーザに新たな気づきを与える効果が期待できる。そのため、基本的には、事業者から貰ったメタに記載されている放送時間と現在時刻から、放送中の番組を判断し、その上で、視聴率を活用することで様々な番組レコメンドする。
【発明の効果】
【００３３】
本発明によれば、他ユーザの視聴傾向から、趣向の類似したユーザと同様なコンテンツをレコメンドするため、多くの視聴可能なコンテンツから、新たな気づきを与えることができる。また、リモコン装置にレコメンドの表示をするため、リモコン装置がスマートフォンのような個人が所有する端末である場合には、自分に対するレコメンドを他の人に見られる恐れがないという効果がある。また、買い替え頻度の高いスマートフォン等を利用することで、より付加価値の高いサービスを迅速に反映させることが可能となるという効果がある。さらに、視聴率を利用することにより、現在放送中のコンテンツをレコメンドすることができるという効果がある。
【図面の簡単な説明】
【００３４】
【図１】本発明の第１の実施形態に係る映像コンテンツレコメンドシステムの構成を示す図である。
【図２】本発明の第１の実施形態に係る映像受信再生装置の構成を示す図である。
【図３】本発明の第１の実施形態に係るリモコン装置の構成を示す図である。
【図４】本発明の第１の実施形態に係る事業者サーバの構成を示す図である。
【図５】本発明の第１の実施形態に係るレコメンド情報管理サーバの構成を示す図である。
【図６】本発明の第１の実施形態に係るレコメンドサーバの構成を示す図である。
【図７】本発明の第１の実施形態に係る映像コンテンツレコメンドシステムの処理を示す図である。
【図８】本発明の第１の実施形態に係るリモコン装置の表示形態を示す図である。
【図９】本発明の第２の実施形態に係る映像コンテンツレコメンドシステムの構成を示す図である。
【図１０】本発明の第２の実施形態に係るリモコン装置の構成を示す図である。
【図１１】本発明の第２の実施形態に係るレコメンドサーバの構成を示す図である。
【図１２】本発明の第２の実施形態に係る映像コンテンツレコメンドシステムの処理を示す図である。
【発明を実施するための形態】
【００３５】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３６】
＜第１の実施形態＞
図１から図８を用いて、本発明の第１の実施形態について説明する。
【００３７】
＜映像コンテンツレコメンドシステムの構成＞
本実施形態に係る映像コンテンツレコメンドシステムは、図１に示すように、映像受信再生装置１００と、リモコン装置２００と、事業者サーバ３００と、レコメンド情報管理サーバ４００と、レコメンドサーバ５００とから構成されている。本実施形態は、他ユーザの視聴傾向から、趣向の類似したユーザと同様なコンテンツをレコメンドするものである。
【００３８】
映像受信再生装置１００は、例えば、ＳＴＢ(Ｓｅｔ Ｔｏｐ Ｂｏｘ)等であり、ＣＡＴＶ事業者や、ＩＰＴＶ事業者等が自社サービス利用者ユーザ向けに提供する一般的な機能を有する。また、ＩＰ通信により各種機能を制御する機能を有する。
【００３９】
リモコン装置２００は、ＷｉＦｉ等を利用したＩＰ通信により、映像受信再生装置１００にチャンネル変更等のコマンドを伝える制御機能と、得られたレコメンド結果を取得し表示する表示機能を有する。なお、映像受信再生装置１００に対して制御できれば通信方式は、Ｂｌｕｅｔｏｏｔｈ（登録商標）等の双方向近距離無線が好ましい。また、リモコン装置１００は、ＰＣタブレットやスマートフォンであってもよい。
【００４０】
事業者サーバ３００は、サービス事業者が管理するサーバであり、レコメンド情報管理サーバ４００に対して、コンテンツのメタ情報を公開あるいは提供する。ここで、メタ情報とは、コンテンツＩＤといったコンテンツを一意に識別可能なＩＤにより関連付けされたコンテンツに関する情報で、例えば、コンテンツの放送時間や、ジャンル、タイトル、詳細説明などを指す。
【００４１】
レコメンド情報管理サーバ４００は、リモコン装置２００から送付された視聴履歴を収集管理する。また、事業者サーバ３００からメタ情報を受け取り管理し、コンテンツのレコメンド要求をリモコン装置２００から受け取る。さらに、管理している履歴やメタ情報を元にレコメンドサーバ５００へ問い合わせを行い、その結果を取得し、取得したレコメンド結果をリモコン装置２００に送信する。なお、レコメンド結果に対して、サービス事業者が意図的に推薦コンテンツを含ませることも可能である。また、ユーザが特定のジャンルに対するオススメを要求した場合には、レコメンド要求する際に特定のジャンルを指定することも可能である。また、各サービス事業者ごとに、メタ情報のフォーマットが異なる場合、ここでレコメンドしやすい形にフォーマットを変更しても良い。さらに、ジャンルについて、各事業者ごとにバラつきがあった場合、番組の詳細メタ情報を機械的に所定のキーワードで検索し、システムで統一したジャンルに分類する方法でも良い。
【００４２】
レコメンドサーバ５００は、レコメンド情報管理サーバ４００から指定された情報を元に、要求されたユーザに対してレコメンド結果を送信する。
【００４３】
＜映像受信再生装置の構成＞
本実施形態に係る映像受信再生装置は、図２に示すように、通信部１１０と、チャンネル指定部１２０と、コンテンツ再生部１３０とから構成されている。
【００４４】
通信部１１０は、リモコン装置２００とデータの授受を行うものであり、Ｂｌｕｅｔｏｏｔｈ（登録商標）等の双方向近距離無線が好ましい。チャンネル指定部１２０は、リモコン装置２００から受信したチャンネル情報に基づいて、チャンネルの指定を行う。コンテンツ再生部１３０は、ケーブルやインターネット網を介して取得した映像コンテンツを再生する。
【００４５】
＜リモコン装置の構成＞
本実施形態に係るリモコン装置は、図３に示すように、ログイン部２１０と、ログイン情報送信部２２０と、制御部２３０と、制御情報送信部２４０と、視聴履歴送信部２５０と、レコメンド結果受信部２６０と、レコメンド結果表示部２７０とから構成されている。
【００４６】
ログイン部２１０は、ログインＩＤを入力し、ユーザの特定を行う。ログイン情報送信部２２０は、ログイン情報をレコメンドサーバ５００に送信する。制御部２３０は、ユーザによるチャンネル指定や電源のＯＮ／ＯＦＦ、音量の調整等の情報に基づいて、映像受信再生装置に所定の信号を制御情報送信部２４０を介して送信し制御を行う。また、ユーザによるチャンネル指定に基づいて、ユーザの視聴履歴を収集管理する。また、収集管理された特定ユーザの視聴履歴をレコメンドサーバ５００に送信する。
【００４７】
レコメンド結果受信部２６０は、レコメンドサーバ５００からレコメンド結果を受信する。レコメンド結果表示部２７０は、受信したレコメンド結果を表示する。
【００４８】
＜事業者サーバの構成＞
本実施形態に係る事業者サーバは、図４に示すように、メタ情報記憶部３１０と、メタ情報送信部３２０とから構成されている。
【００４９】
メタ情報記憶部３１０は、コンテンツごとのメタ情報、例えば、コンテンツの放送時間や、ジャンル、タイトル、詳細説明などを記憶する。メタ情報送信部３２０は、メタ情報記憶部３１０に記憶されるメタ情報をレコメンド情報管理サーバ４００に送信する。
【００５０】
＜レコメンド情報管理サーバの構成＞
本実施形態に係るレコメンド情報管理サーバは、図５に示すように、メタ情報受信部４１０と、メタ情報記憶部４２０と、レコメンド結果受信部４３０と、レコメンド結果送信部４４０とから構成されている。
【００５１】
メタ情報受信部４１０は、事業者サーバ３００からコンテンツごとのメタ情報を受信し、受信したメタ情報をメタ情報記憶部４２０に記憶する。レコメンド結果受信部４３０は、レコメンドサーバ５００からレコメンド結果を受信する。レコメンド結果送信部４４０は、レコメンド結果受信部４３０において受信したレコメンド結果をリモコン装置２００に送信する。
【００５２】
＜レコメンドサーバの構成＞
本実施形態に係るレコメンドサーバは、図６に示すように、視聴履歴受信部５１０と、ログイン情報受信部５２０と、視聴履歴データベース５３０と、レコメンドコンテンツ決定部５４０と、レコメンド結果送信部５５０とから構成されている。
【００５３】
視聴履歴受信部５１０は、リモコン装置２００からユーザの視聴履歴を受信する。ログイン情報受信部５２０は、リモコン装置２００からユーザのログイン情報を受信する。視聴履歴データベース５３０は、受信したログイン情報と視聴履歴とを対応付けて格納する。
【００５４】
レコメンドコンテンツ決定部５４０は、現在時刻と、コンテンツのメタ情報に記載の放送時間とから、現在放送中のコンテンツを抽出し、さらに視聴履歴およびログイン情報を関連付けて記憶する視聴履歴データベースから現ユーザと視聴傾向が類似する他のユーザの視聴傾向からレコメンドするコンテンツを決定する。レコメンド結果送信部５５０は、決定したレコメンドコンテンツをリモコン装置２００に送信する。
【００５５】
＜映像コンテンツレコメンドシステムの処理＞
図７を用いて、本実施形態に係る映像コンテンツレコメンドシステムの処理について説明する。
【００５６】
まず、リモコン装置２００の所定のアプリケーションを起動する。ユーザは、リモコン装置２００に対して、ログインを行い、ユーザを特定する（ステップＳ１０１）。なお、ログインＩＤを覚えておき、アカウント情報の入力の手間を軽減しても良い。
【００５７】
次に、リモコン装置２００は、ログイン情報をレコメンドサーバ５００に送信し（ステップＳ１０２）と、事業者サーバ３００が、レコメンド情報管理サーバ４００にコンテンツのメタ情報を送信する（ステップＳ１０３）。
【００５８】
レコメンド情報管理サーバ４００は、事業者サーバ３００からコンテンツのメタ情報を受信し（ステップＳ１０４）、受信したメタ情報を記憶する（ステップＳ１０５）。レコメンドサーバ５００は、リモコン装置２００から視聴履歴を受信し（ステップＳ１０６）、リモコン装置２００からログイン情報を受信する（ステップＳ１０７）。
【００５９】
また、レコメンドサーバ５００は、現在時刻と、コンテンツのメタ情報に記載の放送時間とから、現在放送中のコンテンツを抽出し、さらに視聴履歴およびログイン情報を関連付けて記憶する視聴履歴データベースから現ユーザと視聴傾向が類似する他のユーザの視聴傾向からレコメンドするコンテンツを決定し（ステップＳ１０８）、決定したレコメンドコンテンツをレコメンド結果としてレコメンド情報管理サーバ４００に送信する（ステップＳ１０９）。なお、この時、現在時刻に無関係に視聴が可能なＶｏＤコンテンツを含めても良い。
【００６０】
レコメンド情報管理サーバ４００は、レコメンドサーバ５００からのレコメンド結果を受信し（ステップＳ１１０）、受信したレコメンド結果と対応するメタ情報とをリモコン装置２００に送信する（ステップＳ１１１）。そして、リモコン装置２００は、レコメンド情報管理サーバ４００からレコメンド結果を受信して表示する（ステップＳ１１２）。
【００６１】
なお、他の方法として、上記アプリケーション上で、番組情報などを表示し、未送信の操作履歴および視聴履歴をレコメンド情報管理サーバ４００へ送信する。なお、ユーザが好きな時にレコメンド番組情報表示を選択でき、この時、好みのジャンルを指定しても良い。
【００６２】
リモコン装置２００は、レコメンド情報管理サーバ４００へレコメンド要求を送信する。ここで、前回と同じジャンルで自動的に要求して、起動時に一覧が表示できるようにしても良い。さらに、時間帯に応じてジャンルを変更しても良い（例えば、朝：ニュース、昼：ドラマ、夜：お笑い等）
【００６３】
レコメンド情報管理サーバ４００は、管理している操作履歴、視聴履歴と、各種コンテンツメタ情報（コンテンツの内容、ジャンル、視聴可能時間（放送時間）、メディアの長さ）からレコメンドサーバ５００へ要求したユーザ向けレコメンドを要求する。
【００６４】
レコメンド情報管理サーバ４００は、レコメンドサーバ５００からの返答を、リモコン装置２００に返送する。リモコン装置２００は、受け取った情報を操作しやすい並びで表示する。この時、放送局のロゴや番組（ＶｏＤの場合コンテンツ）の代表的な画像が提供されていればそれを表示しても良い。
【００６５】
ユーザは、リモコン装置２００に表示されたコンテンツを選択して表示指示を行う。そして、アプリケーションは、映像受信再生装置１００に対して選択されたコンテンツの表示要求を指示する。指示された映像受信再生装置１００は、その内容に基づき、表示デバイスに表示する。
【００６６】
また、別の方法として、リモコン装置２００は、表示デバイスに指示を行い、映像受信再生装置１００から表示した応答を受け付ける。リモコン装置２００は、視聴開始のログをレコメンド情報管理サーバ４００へ送付する。この際、トランザクションの増加を抑えるため、視聴終了時に合わせて送付しても良い。また、個人情報となるため、送信時にＨＴＴＰＳやＶＰＮ等で漏洩を防止し、保管時にもできるだけ暗号化した状態にしておくことも実装上の判断として可能である。これにより、レコメンド情報管理サーバ４００側で、ある属性を持つユーザがどの番組を視聴したのかを把握できる。
【００６７】
この履歴をレコメンドサーバ５００が利用することで、同じような視聴履歴を持つユーザに対して、別のユーザはこのような番組も視聴しているといった推薦が可能となる。この推薦対象はＶｏＤのようにいつでも視聴可能なメディアでも、今この時間でしか放送していない番組についても可能である。
【００６８】
また、履歴が無いユーザが利用した場合にはユーザが持つ属性を利用して、好きなジャンルの視聴率が高いコンテンツを推薦することも可能である。あるいは、同じような属性を持つユーザ群の中から視聴率が高いコンテンツを推薦しても良い。
【００６９】
また、番組の長さを例えば１５分ごとといった長さで分割し、どのタイミングで視聴を開始し、やめたかを分類する。その視聴動向を元に、ある時間帯より前に視聴開始が多ければ、推薦の割合を上げ、ある時間帯より後にチャンネルの切替など、視聴終了が多かった場合には推薦割合を下げても良い。さらに、上記の視聴動向と視聴したコンテンツのジャンルを紐付け、視聴コンテンツが特定のジャンルの場合について、上記の推薦割合を変更するようにしても良い。
【００７０】
＜リモコン装置の表示形態＞
図８を用いて、リモコン装置２００の表示形態について説明する。
図８（Ａ）は、リモコン装置２００に表示されるメニュー例を示している。このメニューから対応するリモコンアプリケーションを指示すると、図８（Ｂ）のログイン画面に遷移する。ここで、ユーザは、ログインＩＤとパスワードを入力し、「ログイン」ボタンを押すことで、ログイン処理が行われる。
【００７１】
図８（Ｃ）は、コンテンツ表示要求の画面を示している。この例では、ユーザは、ジャンルを指定した上で、「オススメ表示」ボタンを押すことで、図８（Ｄ）のようなレコメンドコンテンツが表示される。ここで、コンテンツを選択することにより、ユーザは、所望のコンテンツを得ることができる。
【００７２】
以上、説明したように、本実施形態によれば、他ユーザの視聴傾向から、趣向の類似したユーザと同様なコンテンツをレコメンドするため、いつでも視聴可能なコンテンツのみならず現在放送中の多くの視聴可能なコンテンツの中から、新たな気づきを与えることができる。また、リモコン装置にレコメンドの表示をするため、リモコン装置がスマートフォンのような個人が所有する端末である場合には、自分に対するレコメンドを他の人に見られる恐れがないという効果がある。また、買い替え頻度の低いテレビ等へレコメンドを表示するのではなく、買い替え頻度の高いスマートフォン等を利用してレコメンドの表示と操作が可能となる。
【００７３】
＜第２の実施形態＞
図９から図１２を用いて、本発明の第２の実施形態について説明する。
【００７４】
＜映像コンテンツレコメンドシステムの構成＞
本実施形態に係る映像コンテンツレコメンドシステムは、図９に示すように、映像受信再生装置１００と、リモコン装置２００と、事業者サーバ３００と、レコメンド情報管理サーバ４００と、レコメンドサーバ５００と、視聴率検出装置６００とから構成されている。本実施形態は、現在放送中のコンテンツについて、視聴率を利用して、コンテンツのレコメンドを行うものである。なお、第１の実施形態と同一の符号を付す構成要素については、同様の機能を有するものであることから、その詳細な説明は、省略する。
【００７５】
＜リモコン装置の構成＞
本実施形態に係るリモコン装置は、図１０に示すように、制御部２３０と、制御情報送信部２４０と、レコメンド結果受信部２６０と、レコメンド結果表示部２７０とから構成されている。なお、第１の実施形態と同一の符号を付す構成要素については、同様の機能を有するものであることから、その詳細な説明は、省略する。
【００７６】
＜レコメンドサーバの構成＞
本実施形態に係るレコメンドサーバは、図１１に示すように、視聴率検出部５６０と、レコメンド結果送信部５５０とから構成されている。
【００７７】
視聴率検出部５６０は、視聴率検出装置からそれぞれのコンテンツの視聴率を検出する。レコメンド結果送信部５５０は、検出したコンテンツをレコメンド情報管理サーバ４００に送信する。
【００７８】
＜映像コンテンツレコメンドシステムの処理＞
図１２を用いて、本実施形態に係る映像コンテンツレコメンドシステムの処理について説明する。
【００７９】
まず、事業者サーバ３００が、レコメンド情報管理サーバ４００にコンテンツのメタ情報を送信する（ステップＳ２０１）。レコメンド情報管理サーバ４００は、事業者サーバ３００からコンテンツのメタ情報を受信し（ステップＳ２０２）、受信したメタ情報を記憶する（ステップＳ２０３）。
【００８０】
レコメンドサーバ５００は、視聴率検出装置６００からそれぞれのコンテンツの視聴率を検出し（ステップＳ２０４）、検出したコンテンツをレコメンド情報管理サーバ４００に送信する（ステップＳ２０５）。
【００８１】
レコメンド情報管理サーバ４００は、レコメンドサーバ５００からのレコメンド結果を受信し（ステップＳ２０６）、受信したレコメンド結果と対応するメタ情報とをリモコン装置２００に送信する（ステップＳ２０７）。そして、リモコン装置２００は、レコメンド情報管理サーバ４００からレコメンド結果を受信して表示する（ステップＳ２０８）。
【００８２】
以上、説明したように、本実施形態によれば、視聴率を利用することにより、現在放送中のコンテンツをレコメンドすることができる。なお、視聴率は、レコメンドの際の１つの指標であり、視聴率の高さのみに着目してレコメンドを行うばかりでなく、逆に、視聴率の低い番組をレコメンドすることで、ユーザに新たな気づきを与える効果が期待できる。そのため、基本的には、事業者から貰ったメタに記載されている放送時間と現在時刻から、放送中の番組を判断し、その上で、視聴率を活用することで様々な番組レコメンドする。
【００８３】
なお、映像コンテンツレコメンドシステムの処理をコンピュータ読み取り可能な記録媒体に記録し、この記録媒体に記録されたプログラムを映像受信再生装置、リモコン装置、事業者サーバ、レコメンド情報管理サーバ、レコメンドサーバ、視聴率検出装置に読み込ませ、実行することによって本発明の映像コンテンツレコメンドシステムを実現することができる。ここでいうコンピュータシステムとは、ＯＳや周辺装置等のハードウェアを含む。
【００８４】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００８５】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００８６】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００８７】
１００；映像受信再生装置
１１０；通信部
１２０；チャンネル指定部
１３０；コンテンツ再生部
２００；リモコン装置
２１０；ログイン部
２２０；ログイン情報送信部
２３０；制御部
２４０；制御情報送信部
２５０；視聴履歴送信部
２６０；レコメンド結果受信部
２７０；レコメンド結果表示部
３００；事業者サーバ
３１０；メタ情報記憶部
３２０；メタ情報送信部
４００；レコメンド情報管理サーバ
４１０；メタ情報受信部
４２０；メタ情報記憶部
４３０；レコメンド結果受信部
４４０；レコメンド結果送信部
５００；レコメンドサーバ
５１０；視聴履歴受信部
５２０；ログイン情報受信部
５３０；視聴履歴データベース
５４０；レコメンドコンテンツ決定部
５５０；レコメンド結果送信部
５６０；視聴率検出部
６００；視聴率検出装置
【図１】
2012208555.tif 000003
【図２】
2012208555.tif 000004
【図３】
2012208555.tif 000005
【図４】
2012208555.tif 000006
【図５】
2012208555.tif 000007
【図６】
2012208555.tif 000008
【図７】
2012208555.tif 000009
【図９】
2012208555.tif 000010
【図１０】
2012208555.tif 000011
【図１１】
2012208555.tif 000012
【図１２】
2012208555.tif 000013
【図８】
2012208555.tif 000014